(57)【要約】【課題】ＲＦフロントエンド部分での消費電力の増大を抑えて、希望信号を確実に増幅できる無線受信装置および無線受信方法を提供する。【解決手段】広帯域の無線信号を強度が経時的に変動する妨害波とともに受信する無線受信装置であって、無線信号をＲＦ信号帯域で増幅する低雑音増幅器（ＬＮＡ）３、この出力信号をベースバンド信号に変換するミキサ４、ベースバンド信号から妨害波の周波数成分を除去して希望信号だけを抽出するローパスフィルタ（ＬＰＦ）６、ローパスフィルタ６における入力信号の電界強度および出力信号の電界強度をそれぞれ検出する受信信号強度表示回路（ＲＳＳＩ回路）９，１０、２つの電界強度を比較する減算器１１、および妨害波の希望信号に対する相対的な強度の変動に応じて低雑音増幅器（ＬＮＡ）３における消費電力を制御するＤＣ−ＤＣコンバータ１２を有する。【選択図】図１
2008193442.tif 000002
【特許請求の範囲】
【請求項１】
広帯域の無線信号を強度が経時的に変動する妨害波とともに受信する無線受信装置において、
前記無線信号をＲＦ信号帯域で増幅する増幅手段と、
前記増幅手段の出力信号をベースバンド信号に変換する変換手段と、
前記ベースバンド信号から前記妨害波の周波数成分を除去して希望信号だけを抽出する抽出手段と、
前記抽出手段における入力信号の電界強度および出力信号の電界強度をそれぞれ検出する検出手段と、
前記２つの電界強度を比較することにより、前記妨害波の前記希望信号に対する相対的な強度の変動に応じて前記増幅手段における消費電力を制御する電力制御手段と、
を有することを特徴とする無線受信装置。
【請求項２】
前記増幅手段は、前記ＲＦ信号帯域での線形性が変更可能な低雑音増幅器（ＬＮＡ）であることを特徴とする請求項１記載の無線受信装置。
【請求項３】
前記電力制御手段では、前記低雑音増幅器の電源電圧をその出力信号が飽和しない範囲で調節して、前記消費電力を制御するようにしたことを特徴とする請求項２記載の無線受信装置。
【請求項４】
前記電力制御手段は、前記２つの電界強度の差に基づいて出力電圧の目標値を定めるＤＣ−ＤＣコンバータであることを特徴とする請求項１記載の無線受信装置。
【請求項５】
前記抽出手段は、前記ベースバンド信号に含まれる遮断周波数以上の周波数信号だけを減衰させるローパスフィルタ（ＬＰＦ）であることを特徴とする請求項１記載の無線受信装置。
【請求項６】
前記検出手段は、前記ベースバンド信号と前記ローパスフィルタからの出力信号の電力に基づいて、それぞれ受信信号強度表示（ＲＳＳＩ）信号を生成するＲＳＳＩ回路であることを特徴とする請求項５記載の無線受信装置。
【請求項７】
前記電力制御手段は、前記ＲＳＳＩ回路から出力される２つの受信信号強度表示信号を比較する減算器、および前記減算器の減算結果に応じて前記低雑音増幅器に対する電源電圧を生成する電源回路を含むことを特徴とする請求項６記載の無線受信装置。
【請求項８】
広帯域の無線信号を強度が経時的に変動する妨害波とともに受信する無線受信方法において、
増幅手段が、前記無線信号をＲＦ信号帯域で増幅し、
変換手段が、前記増幅手段の出力信号をベースバンド信号に変換し、
抽出手段が、前記ベースバンド信号から前記妨害波の周波数成分を除去して希望信号だけを抽出し、
検出手段が、前記抽出手段における入力信号の電界強度および出力信号の電界強度をそれぞれ検出し、
電力制御手段が、前記２つの電界強度を比較することにより、前記妨害波の前記希望信号に対する相対的な強度の変動に応じて前記増幅手段における消費電力を制御する、
ことを特徴とする無線受信方法。
【発明の詳細な説明】
【技術分野】
【０００１】
本発明は、妨害波を含む広帯域の無線信号を受信する無線受信装置および無線受信方法に関し、とくに希望信号に強度が経時的に変動する妨害波が含まれる場合の受信性能を改善した無線受信装置および無線受信方法に関する。
【背景技術】
【０００２】
一般にデジタルテレビジョン放送などのデジタル放送では、広帯域（５００ＭＨｚ〜数ＧＨｚ）の無線信号を使って、音声および映像データを１ＧＨｚ程度の極めて広い周波数帯に拡散して伝送するＵＷＢ（Ultra−Wide Band）通信方式が採用されている。ＵＷＢ通信方式の無線信号を受信する無線受信装置は、それぞれの周波数帯に送信されるデータがノイズ程度の強さしか持たないため、同じ周波数帯を使う無線機器と混信することがなく、消費電力も少ない利点があり、位置測定、レーダー、無線通信の３つの機能を合わせ持つなど、極めて独特な無線応用技術である。
【０００３】
図８は、一般的な無線信号の受信機を示すブロック図である。
アンテナ１では、広帯域の無線信号が受信される。受信した無線信号は、たとえば送信された放送信号（希望信号）に対して強度が経時的に変動する妨害波を含んでいて、アンテナ１から帯域通過フィルタ（ＢＰＦ：Band Pass Filter）２を通して必要な帯域が選択され、それらがともに低雑音増幅器（ＬＮＡ：Low Noise Amplifier、以下、ＬＮＡという。）３に入力される。ＬＮＡ３は、雑音指数（ＮＦ：Noise Figure）が低く設定でき、受信した微弱信号を増幅して、ミキサ４に出力する。
【０００４】
ミキサ４には、選局に応じてＰＬＬ発振器５で生成された局部発振信号が供給されている。ここでは、ＲＦ（Radio Frequency）帯域の無線信号をベースバンド信号の周波数帯域へ変換するダウンコンバートが行われ、所定のベースバンド信号がローパスフィルタ（ＬＰＦ：Low Pass Filter）６に出力される。
【０００５】
ローパスフィルタ６は、変換されたベースバンド信号から必要なチャネルの信号を選択する抽出手段として設けられており、その後段には、抽出された信号に対して増幅率を変更できる可変増幅器（ＶＧＡ：Variable Gain Amplifier）７、およびアナログデジタル変換器（ＡＤＣ：Analog to Digital Converter）８が接続されている。したがって、可変増幅器７で希望信号の信号振幅が調節され、アナログデジタル変換器８で所定の信号処理を行うことによって、所望するデジタル放送信号などが再現できる。
【０００６】
この種の受信機では、テレビジョン放送信号のような場合に生じる妨害波と同様に、伝送路の影響によって、受信装置で受信を希望する希望信号以外の信号（非希望信号）の受信電力が希望信号に比べて大幅に大きくなってしまうことがある。そのため、非希望信号の受信電力が希望信号の受信電力よりも大幅に大きい場合であっても、あるいは通常値の場合であっても、必要な希望信号を得ることが可能な増幅器を設けることで対応しなければならない。しかし、このような増幅器は、増幅器の線形性（リニアリティ）と低い雑音指数を確保するために、高い電源電圧が必要となるため、その消費電力が増大してしまう。
【０００７】
そこで、消費電力の増大を招くことなく、必要な希望信号を適切に得ることができる受信装置が必要になる（たとえば、特許文献１参照）。ここでは、非希望信号（妨害波）が大きいとＬＮＡ１０１を外し、その代わりに増幅器１１４，１１５を通すことにして、希望信号に対するトータルの増幅率を確保するものが記載されている。その場合、ゲイン制御信号増幅器であるＧＣＡ（Gain Control Amplifier）１０３，１０５による増幅は、希望信号と非希望信号を合わせた信号が歪まないレベルに抑えられるので、希望信号に対する増幅率は低いものになっている。その分、ＬＰＦ１１０，１１１を通した後の、非希望信号を除去した信号を増幅器１１４，１１５に通すことにより希望信号に対する増幅率を補っている。
【０００８】
ところで、ＬＰＦ１１０，１１１を通る前の信号はＬＮＡ１０１を使わずに増幅しているので、希望信号のＳ／Ｎ比もしくはＣ／Ｎ比は悪いものにならざるを得ないという問題がある。これは、特許文献１の段落番号［００１１］に記載されているように、ＬＮＡに高い電源電圧を与えることが好ましくないとの判断から受信システムが構成されていることに起因している。なお、上述の符号は特許文献１の図１に記されているものである。
【０００９】
したがって、一般的な無線通信機においては、受信する帯域の信号を妨害波からブロックされることを防ぐために、アンテナ１とＬＮＡ３の間に帯域通過フィルタ２を設ける必要があった。
【特許文献１】特開２００６−１１５３４５号公報（段落番号［００１１］，［００２６］〜［０１０３］、および図１、図２）
【発明の開示】
【発明が解決しようとする課題】
【００１０】
このように、従来の狭帯域の無線信号を扱う無線受信装置、たとえばＩＥＥＥ．８０２．１１ａで規定されているような５ＧＨｚ帯で１００ＭＨｚ幅の無線信号などでは、図８に示すような帯域通過フィルタ２を用いることが一般的であった。ところが、上述したＵＷＢ通信方式のように広帯域の信号を受信する受信機、たとえば「ＷｉＭｅｄｉａ−ＭＢＯＡ」が規定するバンドグループ１の無線通信方式のものでは、３９６０ＭＨｚを中心にして約１．５ＧＨｚ幅で広帯域の無線信号を受信しなければならない。したがって、そのような広帯域の無線信号を選択するための帯域通過フィルタを構成することは極めて難しいという問題があった。
【００１１】
また、妨害波の周波数が特定できれば、ＬＮＡの前段にノッチフィルタを設置することによって、妨害波を減衰することも考えられる。ところが、たとえば５ＧＨｚの無線ＬＡＮなど、想定される妨害波のすべての周波数に対応するためには、妨害波の周波数帯それぞれに対応するノッチフィルタを設置する必要があるので、現実的な方策ではない。しかも、無線受信機のフロントエンド部分にノッチフィルタを設置すれば、ＬＮＡの前段における受信信号にノイズが付加されるため、一般的な受信システムとしては好ましくない。
【００１２】
さらに、通常の無線受信装置ではノイズによる希望信号のブロッキングを防ぐために、高い周波数帯域まで線形動作する領域が設定されたＬＮＡが用いられ、しかもその線形性を向上させるためにプロセスにおいて用いることのできる最も高い電源電圧が使用されている。そのため、無線受信装置のＲＦフロントエンド部分における消費電力が大きくなるという問題が生じていた。
【００１３】
本発明はこのような点に鑑みてなされたものであり、ＲＦフロントエンド部分での消費電力の増大を抑えて、希望信号を確実に増幅できる無線受信装置および無線受信方法を提供することを目的とする。
【課題を解決するための手段】
【００１４】
本発明では、上記問題を解決するために、広帯域の無線信号を強度が経時的に変動する妨害波とともに受信する無線受信装置において、前記無線信号をＲＦ信号帯域で増幅する増幅手段と、前記増幅手段の出力信号をベースバンド信号に変換する変換手段と、前記ベースバンド信号から前記妨害波の周波数成分を除去して希望信号だけを抽出する抽出手段と、前記抽出手段における入力信号の電界強度および出力信号の電界強度をそれぞれ検出する検出手段と、前記２つの電界強度を比較することにより、前記妨害波の前記希望信号に対する相対的な強度の変動に応じて前記増幅手段における消費電力を制御する電力制御手段と、を有することを特徴とする無線受信装置が提供される。
【発明の効果】
【００１５】
本発明の無線受信装置によれば、妨害波に応じて増幅手段の線形性を最適に設定することによって、帯域通過フィルタを用いることなく増幅手段における消費電力を削減することができる。
【発明を実施するための最良の形態】
【００１６】
以下、図面を参照してこの発明の実施の形態について説明する。
図１は、発明の実施の形態に係る受信機の構成を示すブロック図である。
この受信機は、送信された放送信号を受信するアンテナ１、無線信号に対する線形性が変更可能なＬＮＡ（低雑音増幅器）３、ミキサ４、ＰＬＬ発振器５、ベースバンド信号から妨害波を除去して希望信号だけを抽出するローパスフィルタ（ＬＰＦ）６、可変増幅器（ＶＧＡ）７、およびアナログデジタル変換器（ＡＤＣ）８を備えている。これらの構成は、すでに説明した一般的な無線信号の受信機（図８）と同様である。
【００１７】
この受信機の特徴点は、第１に狭帯域の無線信号を扱う図８の受信機とは異なり、ＬＮＡ３の前段に帯域通過フィルタ２を有していないことである。
また、この受信機の第２の特徴点は、ローパスフィルタ６のそれぞれ入出力側に受信信号強度表示（ＲＳＳＩ：Received Signal Strength Indicator）回路（以下、ＲＳＳＩ回路という。）９，１０を設けて、さらに減算器１１、およびＤＣ−ＤＣコンバータ１２によって、ＬＮＡ３の電源電圧をその出力信号が飽和しない範囲で調整して、ＬＮＡ３における消費電力を制御していることである。
【００１８】
すなわち、ＲＳＳＩ回路９，１０によって２つのＲＳＳＩ信号（ＲＳＳＩ１とＲＳＳＩ２）が生成される。これらによって、ローパスフィルタ６に入力するベースバンド信号の電界強度（信号強度）と、ローパスフィルタ６から出力された、遮断周波数以上の周波数信号を減衰させた信号の電界強度（信号強度）とがそれぞれ検出できる。さらに、これらのＲＳＳＩ１とＲＳＳＩ２を減算器１１へ入力して、これらの電界強度の差を比較している。この減算器１１の出力は、ＬＮＡ３の電源電圧を生成するＤＣ−ＤＣコンバータ１２の基準電圧端子に入力される。ＤＣ−ＤＣコンバータ１２は、基準電圧の変化に応じて、その出力電圧の目標値を変更するように構成されている。
【００１９】
つぎに、帯域通過フィルタを用いないで構成された受信機の特徴をなすＬＮＡ３の動作について説明する。まず、ＬＮＡ３に信号レベルが妨害波のレベルと変わらない大きさで入力した場合の入出力信号波形について説明する。
【００２０】
図２は、ＬＮＡ３が増幅手段として正常に動作したときの入出力波形の大きさを示す図である。
同図（ａ）には、信号Ｘｓ（ｔ）と妨害波Ｘｎ（ｔ）を示す。また、同図（ｂ）には、コイル３０１と入力トランジスタ３０２を電源、接地間に直列に接続したＬＮＡ３の具体的な構成を示している。
【００２１】
入力端子３０３は、入力トランジスタ３０２のゲートに接続され、出力端子３０４がコイル３０１と入力トランジスタ３０２の接続点に接続されている。入力端子３０３には、アンテナ１から信号Ｘｓ（ｔ）と妨害波Ｘｎ（ｔ）を含む無線信号Ｘ（ｔ）が入力する。このとき、アンテナ１とＬＮＡ３の間に帯域通過フィルタが設けられていなくても、ＬＮＡ３のゲインの周波数特性が信号Ｘｓ（ｔ）と妨害波Ｘｎ（ｔ）を含む範囲でほとんど一定で線形性が保持されていれば、ＬＮＡ３において信号Ｘｓ（ｔ）と妨害波Ｘｎ（ｔ）のいずれもが増幅される。図２（ｃ）には、ＬＮＡ３で増幅された出力信号Ｙｓ（ｔ）とＹｎ（ｔ）を示している。
【００２２】
ところが、必要な信号Ｘｓ（ｔ）に対して不要な信号（ここでは妨害波Ｘｎ（ｔ））の強度が大きくなったとき、ＬＮＡ３の出力信号が飽和する場合がある。とくに、希望信号の周波数と接近して、電界強度が大きい妨害波が受信機に入力すると、必要な信号が受信できなくなる、鈍感化（Desensitization）という現象が発生する。
【００２３】
図３は、ＬＮＡ３で発生する鈍感化の現象について説明する概念図である。
ここでは、同図（ｂ）に示すように、ＬＮＡ３に無線信号Ｘ（ｔ）が入力したとき、増幅された出力信号Ｙ（ｔ）を得るものとする。いま、同図（ａ）に示すように、ＬＮＡ３へ入力する希望信号と妨害波の電力スペクトル（強度）を、それぞれＰｘｓ（ｆ）とＰｘｎ（ｆ）とする。また、同図（ｃ）に示すように、ＬＮＡ３から出力される希望信号の電力スペクトル（強度）をＰｙｓ（ｆ）、妨害波の電力スペクトル（強度）をＰｙｎ（ｆ）とする。
【００２４】
ここに示すように、ＬＮＡ３に入力する無線信号Ｘ（ｔ）に希望信号より大きな電力強度で妨害波が入力すると、希望信号を増幅することができないで、出力信号Ｙ（ｔ）における希望信号の電力強度Ｐｙｓ（ｆ）が小さくなってしまう。したがって、図８に示す受信機のように、ＬＮＡ３に対して帯域通過フィルタ２を設けていない場合は、必要な信号の帯域以外に含まれる大きな妨害波を減衰させて、必要な信号帯域のみを増幅することができなくなる。
【００２５】
図４は、ＬＮＡ３への信号が妨害波によってブロックされたときの入出力波形の大きさを示す図である。
同図（ａ）には、信号Ｘｓ（ｔ）と妨害波Ｘｎ（ｔ）を示す。また、同図（ｂ）には、ＬＮＡ３の具体的な構成を示し、同図（ｃ）には、ＬＮＡ３で増幅された出力信号Ｙｓ（ｔ）とＹｎ（ｔ）を示している。
【００２６】
同図（ａ）に示すように、信号Ｘｓ（ｔ）に比べて妨害波Ｘｎ（ｔ）の強度が大きくなると、ＬＮＡ３の周波数特性が十分に線形性を確保していない場合には、その出力信号が飽和してしまう。そのため、図４（ｃ）に示すように、出力信号Ｙ（ｔ）に含まれる妨害波Ｙｎ（ｔ）だけが大きく増幅され、その間に入力している希望信号Ｘｓ（ｔ）はＬＮＡ３で増幅できず、信号Ｙｓ（ｔ）がブロックされることになる。
【００２７】
ただし、図２、図４では入力信号Ｘｓ（ｔ）を簡易的に単一周波数であって、妨害波Ｘｎ（ｔ）より低い周波数で入力するものとして図示している。
このように、ノイズによる希望信号のブロッキングを防ぐためには、ＬＮＡ３の線形動作領域を高く設定して受信装置を設計する必要があった。そして、ＬＮＡ３の線形性に最も影響を及ぼすパラメータは、電源電圧である。ＬＮＡ３の電源電圧が高い場合は、それにともなってＬＮＡ３の線形性も向上する。
【００２８】
ところが、ＬＮＡ３を一般的なＣＭＯＳ回路によって構成する場合、その電源電圧はプロセスを選択することで一意に決まってしまう。この場合に、ＬＮＡ３の電源電圧を高く設定すると、電流値一定の下では消費電力は大きくなる。しかし、妨害波が無い場合には、ＬＮＡ３の線形性に求められる特性は緩和される。したがって、最も大きな妨害波を想定してＬＮＡ３の回路設計を行うと、消費電力が無駄になる場合があった。
【００２９】
そこで、図１に示す受信機では、受信機内部で経時的に変動する妨害波の大きさを検出し、その大きさに応じてＬＮＡ３の電源電圧を変化させ、常に最適な線形性を得るようにして、ＬＮＡ３における消費電力を削減している。
【００３０】
すなわち、本発明の受信装置においては、ローパスフィルタ６における入力信号の電界強度と出力信号の電界強度をそれぞれ受信信号強度表示信号によって検出して、電源電圧をコントロールするようにしている。なお、これらのＲＳＳＩ回路９，１０は、受信信号の強度表示するために、無線通信機には一般的な機能回路として搭載されている。
【００３１】
図５は、受信信号の電界強度を表示するＲＳＳＩ回路の一例を示す図である。
このＲＳＳＩ回路は、リミッタ飽和ＲＦアンプ２１〜２７が７段従属接続され、検波回路３１〜３８によって各段のＲＦ出力、および入力信号が振幅検波され、加算器３９で加算されている。アンプ４０には加算器３９の加算結果が入力され、アンプ４０から対数変換された電界強度を示す信号がＲＳＳＩ１、あるいはＲＳＳＩ２として出力される。
【００３２】
ここで、ＲＳＳＩ回路９，１０にはＬＰＦ６への信号Ｖｉｎあるいはその出力信号Ｖｏｕｔが供給される。また、各段のリミッタ飽和ＲＦアンプ２１〜２７における飽和時の検波出力電圧をＶLとする。
【００３３】
いま、入力する信号Ｖｉｎ（Ｖｏｕｔ）の入力レベルを徐々に増やして、最初の１段目と２段目のリミッタ飽和ＲＦアンプ２１，２２が飽和したとする。このとき、検波回路３１，３２から加算器３９への出力は２ＶLとなる。さらに、入力信号を大きくすると、次の３段目のアンプ出力が加わる。こうして、検波回路３１〜３８の出力の和を示すアンプ４０の出力は、対数特性を有する曲線を描いて上昇する。なお、こうした継続検波形ログアンプ構成のＲＳＳＩ回路は、ＣＭＯＳプロセスにより容易にＩＣとして実現できる。
【００３４】
つぎに、このようなＲＳＳＩ回路によって、妨害波と信号の強度を検出し、ＬＮＡ３の線形性を最適に設定する手順について説明する。
図６および図７は、ベースバンド信号から妨害波を除去するローパスフィルタ６の作用を説明する図である。
【００３５】
最初に、図６によって希望信号より大きい妨害波を受信した場合について説明する。ＲＳＳＩ回路９，１０を、選択したいチャネルの周波数範囲を選択するローパスフィルタ６の前後に設置することによって、入力信号Ｖｉｎと出力信号Ｖｏｕｔの電界強度を比較している。
【００３６】
図６（ａ）に示すように、アンテナ１によって妨害波の電力Ｐｎｉ（ｆ）が信号電力Ｐｓｉ（ｆ）より大きなレベルで受信されている場合には、ローパスフィルタ６の出力信号Ｖｏｕｔに含まれる妨害波の電力Ｐｎｏ（ｆ）だけが減衰されるから、入力側のＲＳＳＩ回路９の出力ＲＳＳＩ１は出力側のＲＳＳＩ回路１０の出力ＲＳＳＩ２に比べて大きくなる。すなわち、ＲＳＳＩ１≫ＲＳＳＩ２となる。なお、信号電力Ｐｓｏ（ｆ）はローパスフィルタ６への入力信号の電力Ｐｓｉ（ｆ）と変わらない。
【００３７】
具体的には、入力側のＲＳＳＩ回路９で図６（ａ）に示す入力信号Ｖｉｎの電力に比例してＲＳＳＩ１が生成され、出力側のＲＳＳＩ回路１０で図６（ｃ）に示す出力信号Ｖｏｕｔの電力に比例してＲＳＳＩ２が生成されるから、これらの受信信号強度表示信号電圧を比較することで、妨害波が希望信号より大きい場合はＲＳＳＩ１とＲＳＳＩ２との出力電圧差（ＲＳＳＩ１−ＲＳＳＩ２）が大きくなる。したがって、この場合にはＬＮＡ３の電源電圧を大きくすることにより、希望信号のブロッキングを防ぐことができる。
【００３８】
つぎに、図７によって、希望信号が妨害波よりも大きなレベルで受信された場合について説明する。
図７（ａ）に示すように、希望信号の電力Ｐｓｉ（ｆ）が妨害波の電力Ｐｎｉ（ｆ）よりも大きなレベルであれば、入力側のＲＳＳＩ回路９の出力ＲＳＳＩ１は出力側のＲＳＳＩ回路１０の出力ＲＳＳＩ２よりも大きいけれども両者の差は小さい。また、妨害波のレベルが極端に小さい場合などは、両者がほぼ等しいレベルになる。すなわち、ＲＳＳＩ１≒ＲＳＳＩ２となる。このとき、ＬＮＡ３の線形性は、図６のように妨害波が大きい場合よりも緩和しても問題なく、ＬＮＡ３の電源電圧を下げることによって、消費電力を低減できる。
【００３９】
このように、アンテナ１で受信した妨害波のレベルが、希望信号のレベルに比べて非常に大きい場合は、ＲＳＳＩ１とＲＳＳＩ２の出力電圧の差が大きい。そこで、減算器１１の減算結果の大きさに応じて、ＤＣ−ＤＣコンバータ１２の基準電圧レベルを変化させることによって、ＤＣ−ＤＣコンバータ１２の出力電圧の目標値が変動するから、ＬＮＡ３の電源電圧を望ましい大きさで生成できる。したがって、妨害波の電界強度が大きくなったときには、ＬＮＡ３の出力信号が飽和しないように、その線形性を高くすることができる。
【００４０】
反対に、妨害波の強度が希望信号に比べて小さければ、ＲＳＳＩ１とＲＳＳＩ２の出力電圧の差が殆どなくなる。したがって、この場合はＤＣ−ＤＣコンバータ１２に供給される基準電圧が低くなって、ＤＣ−ＤＣコンバータ１２の出力電圧の目標値が低下するために、ＬＮＡ３の電源電圧を下げるように制御できる。
【００４１】
このように構成された受信機では、妨害波の希望信号に対する相対的な電界強度の変動に応じて、ＬＮＡ３の電源電圧を制御できるから、受信性能を低下させることなしに受信機の消費電力を削減することが可能である。
【００４２】
以上、実施の形態の受信機では、ローパスフィルタ６のそれぞれ入出力側にＲＳＳＩ回路９，１０を設けて、妨害波の信号レベルを大まかに把握することによって、妨害波の大きさに応じてＬＮＡ３の線形性を最適に設定すれば、ＲＦフロントエンド部分での消費電力を削減できる。
【図面の簡単な説明】
【００４３】
【図１】発明の実施の形態に係る受信機の構成を示すブロック図である。
【図２】ＬＮＡが増幅手段として正常に動作したときの入出力波形の大きさを示す図である。
【図３】ＬＮＡで発生する鈍感化の現象について説明する概念図である。
【図４】ＬＮＡへの信号が妨害波によってブロックされたときの入出力波形の大きさを示す図である。
【図５】受信信号の電界強度を表示するＲＳＳＩ回路の一例を示す図である。
【図６】妨害波よりも小さい信号が入力したときのローパスフィルタの作用を説明する図である。
【図７】妨害波よりも大きい信号が入力したときのローパスフィルタの作用を説明する図である。
【図８】一般的な無線信号の受信機を示すブロック図である。
【符号の説明】
【００４４】
１  アンテナ
２  帯域通過フィルタ（ＢＰＦ）
３  低雑音増幅器（ＬＮＡ）
４  ミキサ
５  ＰＬＬ発振器
６  ローパスフィルタ（ＬＰＦ）
７  可変増幅器（ＶＧＡ）
８  アナログデジタル変換器（ＡＤＣ）
９，１０  受信信号強度表示回路（ＲＳＳＩ回路）
１１  減算器
１２  ＤＣ−ＤＣコンバータ
【図１】
2008193442.tif 000003
【図２】
2008193442.tif 000004
【図３】
2008193442.tif 000005
【図４】
2008193442.tif 000006
【図５】
2008193442.tif 000007
【図６】
2008193442.tif 000008
【図７】
2008193442.tif 000009
【図８】
2008193442.tif 000010